(57)【要約】【課題】アクチュエータを備えた小型化、低コスト化に有利なカメラ用羽根駆動機構を提供すること。【解決手段】電磁石の本体部３は、撮影光路用の開口部１ａを有する地板１に取り付けられていて、一端部にコイル４を巻回し、他端部の軸３ｂに駆動部材５を回転可能に取り付けている。地板１と駆動部材５との間に配置されたシャッタ羽根８は、地板１に回転可能に取り付けられていて、そのピン８ｂを、駆動部材５の長孔５ｂに嵌合させている。また、ばね７は、駆動部材５を時計方向へ回転するように付勢している。コイル４に通電すると、駆動部材５は、先端に埋設した鉄片部材６との間に作用する吸引力により反時計方向へ回転され、シャッタ羽根８に閉じ作動を行わせる。その後、通電が断たれると、駆動部材５は、ばね７の付勢力によって時計方向へ回転され、シャッタ羽根８に開き作動を行わせるようになっている。【選択図】  図１
2005024639.tif 000002
【特許請求の範囲】
【請求項１】
撮影光路用の円形の開口部を有している地板と、コイルを巻回した本体部が前記地板に固定されている電磁石と、鉄片部と羽根部とを有していて前記地板に対して回転可能に取り付けられており前記電磁石の非通電時にはばねの付勢力によって該羽根部を前記開口部から退かせた位置と前記開口部へ進入させた位置とのいずれか一方の位置に位置付けられていて前記電磁石に通電されたときには該鉄片部と前記電磁石との間に作用する吸引力によって該ばねの付勢力に抗して他方の位置へ回転させられてその位置に保持され該通電が断たれたときには該ばねの付勢力によって前記一方の位置へ復帰させられる駆動部材と、を備えていることを特徴とするカメラ用羽根駆動機構。
【請求項２】
前記電磁石の本体部が、前記駆動部材が前記ばねの付勢力に抗して回転させられたときのストッパの役目をしていることを特徴とする請求項１に記載のカメラ用羽根駆動機構。
【請求項３】
前記電磁石の本体部が、前記開口部を囲む円弧状をしていて、その一端部がコイル巻回部となっており、また、前記駆動部材が、前記電磁石の本体部とは逆向きに前記開口部を囲む円弧状をしていて、その一端部を前記鉄片部とし、他端部を前記電磁石の本体部の他端部に回転可能に取り付けていることを特徴とする請求項１又は２に記載のカメラ用羽根駆動機構。
【請求項４】
前記駆動部材が、前記羽根部を前記開口部に進入させた位置にあるとき、前記羽根部が前記開口部を全面的に覆うようにしたことを特徴とする請求項１乃至３の何れかに記載のカメラ用羽根駆動機構。
【請求項５】
前記羽根部が、前記開口部より小さい円形の開口部を有していて、前記駆動部材が、前記羽根部を前記開口部に進入させた位置にあるとき、該小さい開口部が撮影光路を規制するようにしたことを特徴とする請求項１乃至３の何れかに記載のカメラ用羽根駆動機構。
【請求項６】
前記羽根部が、前記地板に対して回転可能に取り付けられた羽根部材として構成され、前記駆動部材に連動して往復回転させられるようにしたことを特徴とする請求項１乃至５の何れかに記載のカメラ用羽根駆動機構。
【請求項７】
前記羽根部が、前記地板に対して個別に回転可能に取り付けられた二つの羽根部材として構成され、該二つの羽根部材は、前記駆動部材に連動して相反する方向へ回転させられるようにしたことを特徴とする請求項１乃至４の何れかに記載のカメラ用羽根駆動機構。
【発明の詳細な説明】
【０００１】
【発明の属する技術分野】
本発明は、シャッタ羽根や絞り羽根などの羽根部材を作動させるカメラ用羽根駆動機構に関する。
【０００２】
【従来の技術】
カメラ用レンズシャッタは、シャッタ羽根が撮影レンズの近接位置に配置されていて、円形をした撮影光路用の開口部を開閉するように構成されているが、最近では、２枚のシャッタ羽根が、ばねやモータを駆動源として、同時に相反する方向へ回転させられるようにした構成のものが一般的となっている（例えば、特許文献１参照）。しかしながら、中には、１枚のシャッタ羽根が、その往復回転によって撮影光路用の開口部を開閉するようにしたものもある（例えば、特許文献２参照）。そして、これらのシャッタ機構は、銀塩カメラにもデジタルスチルカメラにも採用することが可能である。
【０００３】
他方、絞り機構は、銀塩カメラやデジタルスチルカメラに採用されているほか、ビデオカメラにも採用されているが、普及機に採用される絞り機構は、羽根の枚数が少ないのが普通である。そして、主に、レンズシャッタを備えたデジタルスチルカメラに採用されるものとして、１枚の絞り羽根が、地板に形成された撮影光路用の開口部より小さい直径の開口部を有していて、モータによって往復回転させられることによって、その直径の小さい開口部を、地板の開口部に進退させるようにしたものが知られている（例えば、特許文献１，２参照）。また、絞り機構と同様に、被写体光の光量を減じる目的で、ＮＤフィルタで開口部を覆った羽根部材を用意し、その羽根部材をモータによって往復回転させ、ＮＤフィルタを地板の開口部に進退させるようにしたフィルタ機構も知られている（例えば、特許文献１参照）。
【０００４】
また、特許文献１，２に記載の羽根駆動機構は、いずれも、永久磁石製の回転子を有するモータを駆動源としている。しかしながら、そのような回転子を有するモータを駆動源とすることなく、永久磁石とコイルとを備えたアクチュエータによって、シャッタ羽根や絞り羽根を駆動するようにしたシャッタ機構や絞り機構も知られている（例えば、特許文献３，４参照）。本発明は、これらと同類のアクチュエータを駆動源としたカメラ用羽根駆動機構に関するものである。
【０００５】
【特許文献１】
特開２００１−１８８２７５号公報（第４−６頁、図１−７）
【特許文献２】
特開２０００−２９２８２７号公報（第３，４頁、図１−４）
【特許文献３】
実開昭５７−１７８２２７号公報（第１頁、図面）
【特許文献４】
実公昭４９−４１３１３号公報（第１，２頁、第２−５図）
【０００６】
【発明が解決しようとする課題】
最近では、カメラの小型化に伴って、上記のような羽根駆動機構に対しても、小型化と低廉化が要求されている。その場合、一番問題となるのは、アクチュエータの構成と、そのコストである。このような観点から見てみると、特許文献１，２に記載されているモータは、実際には他のモータに比較して、小型で廉価である。しかしながら、まだまだ構成部材が多く、しかも、このモータを一つだけ採用した場合には、特許文献２からも分かるように、羽根機構のユニットの外観形状が、どのような仕様のカメラにも採用され易い形状とはいいにくい。
【０００７】
また、特許文献１〜４に記載されている羽根駆動機構の駆動源には、いずれも永久磁石が使用されている。ところが、永久磁石製の部品は、その形状や着磁状態を均一に得ようとすると加工コストがアップし、合成樹脂製の部品や金属製の部品に比較して一般に割高になってしまう。また、特許文献３，４に記載されているように、円弧状に製作された永久磁石を、他の部材に取り付けるためのコストも安くはない。そのため、出来ればアクチュエータの構成部品には、永久磁石の使用を避けることが好ましい。
【０００８】
本発明は、このような問題点を解決するためになされたものであり、その目的とするところは、永久磁石製部品を使用せず、しかも構成部材が少なくて、小型化と低廉化に有利なカメラ用羽根駆動機構を提供することである。
【０００９】
【課題を解決するための手段】
上記の目的を達成するために、本発明のカメラ用羽根駆動機構は、撮影光路用の円形の開口部を有している地板と、コイルを巻回した本体部が前記地板に固定されている電磁石と、鉄片部と羽根部とを有していて前記地板に対して回転可能に取り付けられており前記電磁石の非通電時にはばねの付勢力によって該羽根部を前記開口部から退かせた位置と前記開口部へ進入させた位置とのいずれか一方の位置に位置付けられていて前記電磁石に通電されたときには該鉄片部と前記電磁石との間に作用する吸引力によって該ばねの付勢力に抗して他方の位置へ回転させられてその位置に保持され該通電が断たれたときには該ばねの付勢力によって前記一方の位置へ復帰させられる駆動部材と、を備えているようにする。
【００１０】
その場合、前記電磁石の本体部が、前記駆動部材が前記ばねの付勢力に抗して回転させられたときのストッパの役目をするようにすると、構成が簡単になる。また、前記電磁石の本体部が、前記開口部を囲む円弧状をしていて、その一端部がコイル巻回部となっており、また、前記駆動部材が、前記電磁石の本体部とは逆向きに前記開口部を囲む円弧状をしていて、その一端部を前記鉄片部とし、他端部を前記電磁石の本体部の他端部に回転可能に取り付けているように構成しても差し支えない。
【００１１】
また、本発明のカメラ用羽根駆動機構は、前記駆動部材が、前記羽根部を前記開口部に進入させた位置にあるとき、前記羽根部が前記開口部を全面的に覆うようにすればシャッタ機構になるし、前記羽根部が、前記開口部より小さい円形の開口部を有していて、前記駆動部材が、前記羽根部を前記開口部に進入させた位置にあるとき、該小さい開口部が撮影光路を規制するようにすれば、絞り機構とすることも可能である。
【００１２】
更に、本発明のカメラ用羽根駆動機構は、前記羽根部が、前記地板に対して回転可能に取り付けられた羽根部材として構成され、前記駆動部材に連動して往復回転させられるようにしたり、また、前記羽根部が、前記地板に対して個別に回転可能に取り付けられた二つの羽根部材として構成され、該二つの羽根部材は、前記駆動部材に連動して相反する方向へ回転させられるようにしても差し支えない。
【００１３】
【発明の実施の形態】
本発明の実施の形態を、三つの実施例によって説明する。尚、図１〜図３は第１実施例を説明するためのものであって、図１は、シャッタ羽根の開放状態を示す平面図であり、図２は、シャッタ羽根の閉鎖状態を示す平面図であり、図３は、図２の底面図である。また、図４〜図６は第２実施例を説明するためのものであって、図４は、大口径の絞り制御状態を示した第２実施例の平面図であり、図５は、小口径の絞り制御状態を示した第２実施例の平面図であり、図６は、図５の底面図である。更に、図７〜図９は第３実施例を説明するためのものであって、図７は、シャッタ羽根の開放状態を示す平面図であり、図８は、シャッタ羽根の閉鎖状態を示す平面図であり、図９は、図８の底面図である。
【００１４】
［第１実施例］
最初に、図１〜図３を用いて第１実施例を説明するが、本実施例は、デジタルスチルカメラに採用されるシャッタ羽根駆動機構として構成したものである。そこで先ず、構成から説明する。地板１は、平面形状が円形をしていて、その中央部に、円形をした撮影光路用の開口部１ａを形成している。この地板１には、図３に示すように、ビス２によって、合成樹脂製の電磁石の本体部３が、適宜な手段によって所定の間隔を空けて取り付けられている。また、この本体部３は、ばね掛け３ａを有していて、その平面形状が、上記の開口部１ａの略半分を囲む円弧状をしており、その一端部にはコイル４を巻回し、他端部には肉薄部が形成されている。そして、その肉薄部には、表裏にわたって軸３ｂが立設されている。
【００１５】
駆動部材５は、合成樹脂製であって、平面形状が、開口部１ａを上記の本体部３とは逆向きに囲む円弧状をしており、その一端部には鉄片部材６を埋設し、他端部に形成した肉薄部を、上記の軸３ｂに回転可能に取り付けている。また、この駆動部材５には、ばね掛け５ａと、長孔５ｂと、ピン５ｃとが形成されていて、そのピン５ｃを地板１に形成されている長孔１ｂに嵌合させている。従って、その長孔１ｂの長手方向の一端が、駆動部材５の時計方向への回転のストッパの役目をし、他端が、反時計方向への回転のストッパの役目をしている。そして、上記の軸３ｂには、ばね７が巻回されており、その一端をばね掛け３ａに掛け、他端をばね掛け５ａに掛けることによって、駆動部材５を時計方向へ回転させるように付勢している。
【００１６】
シャッタ羽根８は、地板１と駆動部材５との間に配置されていて、地板１側に設けたピン８ａを、地板１に形成された孔に回転可能に嵌合させ、駆動部材５側に設けたピン８ｂを、上記の長孔５ｂに嵌合させている。従って、このシャッタ羽根８は、駆動部材５が軸３ｂで回転すると、ピン８ｂを回転軸として駆動部材５と同じ方向へ回転するようになっている。
【００１７】
次に、本実施例の作動を説明する。図１に示された状態は、カメラの電源はオンになっているが、コイル４には通電されていない状態である。そして、駆動部材５は、ばね７の付勢力によって、ピン５ｃを長孔１ｂの右下端部に接触させ、この状態を維持されている。また、シャッタ羽根８は、駆動部材５によって開口部１ａから退かされ、この初期位置を維持している。従って、このときには、液晶表示装置によって被写体像を観察できるようになっている。
【００１８】
撮影に際してレリーズボタン（スイッチ）を押すと、絞り機構を備えているカメラの場合には、被写体光の測光結果に基づいて絞り開口が決められる。その後、制御回路からの電気信号によって、固体撮像素子に蓄積されていた電荷が放出されると、その時点から撮影のための露光（電荷の蓄積）が開始され、且つ露光時間制御回路によって適正露光時間に対応した所定時間のカウントが開始される。そして、そのカウントが終了すると、コイル４に対して通電が行われる。
【００１９】
そのため、駆動部材５は、鉄片部材６がコイル４に吸引されることによって、ばね７の付勢力に抗して、反時計方向へ回転させられるが、このとき、シャッタ羽根８も、同時に反時計方向へ回転させられる。このようにして、シャッタ羽根８が開口部１ａを閉鎖すると、その直後に、駆動部材５のピン５ｃが、長孔１ｂの左上端部に当接して停止する。その状態が図２に示されている。そして、この状態において、固体撮像素子に蓄積された撮像情報が記憶装置に転送されると、コイル４に対する通電が断たれる。
【００２０】
その結果、鉄片部材６に対する吸引力が消失するので、駆動部材５は、ばね７の付勢力によって時計方向へ回転させられるが、このとき、シャッタ羽根８も、同時に時計方向へ回転させられる。その後、シャッタ羽根８が開口部１ａを全開にすると、その直後に、駆動部材５のピン５ｃが、長孔１ｂの右下端部に当接して停止する。このようにして、シャッタ羽根８が初期位置へ復帰した状態が、図１に示されてた状態であり、次の撮影の待機状態でもある。そして、撮影の意思がない場合には、カメラの電源をオフにする。
【００２１】
尚、本実施例の場合には、駆動部材５とシャッタ羽根８を別部材とし、シャッタ羽根８を地板１に対して回転可能に取り付けているが、シャッタ羽根８の形状を変形させ、駆動部材５に対して一体的に取り付けるようにしても差し支えない。また、駆動部材５の形状を変形させてその一部を羽根部とし、その羽根部によって開口部１ａを開閉するようにしても差し支えない。更に、本実施例のシャッタ羽根駆動機構は、デジタルスチルカメラに採用される場合の構成となっているが、図１の状態では、シャッタ羽根８が開口部１ａを覆っており、駆動部材５が図２の状態になったときには、開口部１ａを全開にするようにシャッタ羽根８の形状を変えれば、銀塩カメラに採用される場合の構成となる。そして、そのような構成にした場合にも、上記の変形例を採用することが可能である。
【００２２】
［第２実施例］
次に、図４〜図６を用いて第２実施例を説明するが、本実施例は、デジタルスチルカメラにも、銀塩カメラにも採用することが可能な絞り羽根駆動機構として構成したものである。そこで先ず、構成から説明するが、第１実施例の構成と実質的に同じ構成については、簡略的に説明する。地板１１は、その中央部に、円形をした撮影光路用の開口部１１ａを有していて、ビス１２によって、合成樹脂製の電磁石の本体部１３を、所定の間隔を空けて取り付けている。また、その本体部１３は、ばね掛け１３ａを有していて、その一端部にはコイル１４を巻回し、他端部の肉薄部には、表裏にわたって軸１３ｂが立設されている。
【００２３】
駆動部材１５は、合成樹脂製であって、平面形状が上記の本体部１３とは逆向きの円弧状をしており、その一端部には鉄片部材１６を埋設し、他端部に形成した肉薄部を上記の軸１３ｂに回転可能に取り付けている。また、この駆動部材１５には、ばね掛け１５ａと、二つのピン１５ｂ，１５ｃとが形成されていて、ピン１５ｂを地板１１に形成されている長孔１１ｂに嵌合させている。そして、上記の軸１３ｂには、ばね１７が巻回されており、その一端をばね掛け１３ａに掛け、他端をばね掛け１５ａに掛けることによって、駆動部材１５を時計方向へ回転させるように付勢している。
【００２４】
絞り羽根１８は、地板１１と、本体部１３及び駆動部材１５との間に配置されており、前記開口部１１ａより小さい円形の開口部１８ａを有していて、地板１１側に設けたピン１８ｂを、地板１１に形成された孔に回転可能に嵌合させている。また、図示していないが、この絞り羽根１８には、ピン１８ｂの近傍位置に長孔が形成されており、駆動部材１５に設けたピン１５ｃが、その長孔に嵌合し、さらに、その先端部が、地板１１に形成された図示していない長孔に嵌合している。従って、絞り羽根１８は、駆動部材１５が軸１３ｂで回転すると、ピン１８ｂを回転軸として駆動部材１５と同じ方向へ回転するようになっている。
【００２５】
次に、本実施例の作動を説明する。図４に示された状態は、カメラの電源はオンになっているが、コイル１４には通電されていない状態である。そのため、駆動部材１５は、ばね１７の付勢力によって、ピン１５ｂを長孔１１ｂの右下端部に接触させ、この状態を維持されており、それによって、絞り羽根１８は、開口部１１ａから退いた位置を維持している。
【００２６】
撮影に際してレリーズボタンを押すと、先ず被写体光の測光結果に基づいて絞り開口が決められるが、被写体光が比較的暗い場合には、コイル１４に通電されず、図４の状態のままで撮影が行なわれる。即ち、このときの撮影光路は開口部１１ａによって規制されるから、大口径の絞り開口で撮影が行なわれることになる。従って、少なくとも次の撮影が行なわれるまでは、このままの状態が維持される。
【００２７】
これに対して、被写体光が比較的明るい場合には、コイル１４に通電される。そのため、駆動部材１５は、鉄片部材１６がコイル１４に吸引されることによって、ばね１７の付勢力に抗して、反時計方向へ回転させられ、絞り羽根１８を反時計方向へ回転させる。そして、絞り羽根１８が開口部１１ａに進入した後、駆動部材１５のピン１５ｂが長孔１１ｂの左上端部に当接すると、絞り羽根１８の回転も停止し、図５に示された状態になる。このとき、撮影光路は、開口部１８ａによって規制されているので、その直後には、小さい絞り開口での撮影が行なわれる。
【００２８】
撮影が終了すると、コイル１４に対する通電が直ちに断たれる。そのため、鉄片部材１６に対する吸引力が消失し、駆動部材１５は、ばね１７の付勢力によって時計方向へ回転し、絞り羽根１８を同時に時計方向へ回転させる。その後、絞り羽根１８が開口部１１ａから退くと、その直後に、駆動部材１５のピン１５ｂが、長孔１１ｂの右下端部に当接して停止する。その状態が、図４に示されてた状態であり、次の撮影の待機状態でもある。
【００２９】
尚、本実施例の場合には、駆動部材１５と絞り羽根１８を別部材とし、絞り羽根１８を地板１１に対して回転可能に取り付けているが、絞り羽根８の形状を変形させ、駆動部材１５に対して一体的に取り付けるようにしても差し支えない。また、駆動部材１５の形状を変形させてその一部を羽根部とし、その羽根部に開口部１８ａに相当する開口部を形成するようにしても差し支えない。また、本実施例の絞り部材１８に、開口部１８ａを覆うようにしてＮＤフィルタを取り付ければ、フィルタ駆動機構として好適な構成が得られることになる。
【００３０】
［第３実施例］
次に、図７〜図９を用いて第３実施例を説明するが、本実施例は、デジタルスチルカメラに採用されるシャッタ羽根駆動機構として構成したものである。そこで先ず構成から説明するが、その構成は、シャッタ羽根が２枚設けられていることが特徴であって、その他の構成部分は、かなりの部分で第１実施例と同じである。従って、それらの同じ構成については、簡単に説明する。地板２１は、その中央部に撮影光路用の開口部２１ａを形成しており、図９に示すように、そこに、ビス２２によって、合成樹脂製の電磁石の本体部２３が、所定の間隔を空けて取り付けられている。この本体部２３は、ばね掛け２３ａを有していて、一端部にはコイル２４を巻回し、他端部には肉薄部が形成されている。そして、その肉薄部には、表裏にわたって軸２３ｂが立設されている。
【００３１】
駆動部材２５は、合成樹脂製であって、その一端部には鉄片部材２６を埋設し、他端部に形成した肉薄部を、上記の軸２３ｂに回転可能に取り付けている。また、この駆動部材２５には、ばね掛け２５ａと、地板２１側に二つのピン２５ｂ，２５ｃが形成されていて、ピン２５ｂを地板１に形成された長孔２１ｂに嵌合させている。そして、上記の軸２３ｂには、ばね２７が巻回されており、その一端をばね掛け２３ａに掛け、他端をばね掛け２５ａに掛けることによって、駆動部材２５を時計方向へ回転させるように付勢している。
【００３２】
２枚のシャッタ羽根２８，２９は、シャッタ羽根２９を地板２１側にし、地板２１と、本体部２３及び駆動部材２５との間に配置されていて、地板２１側に設けたピン２８ａ，２９ａを、地板２１に形成された夫々の孔に回転可能に嵌合させている。また、シャッタ羽根２８，２９には、各々長孔が形成されていて、その両方の長孔に、駆動部材２５に設けた上記のピン２５ｃを嵌合させている。従って、これらのシャッタ羽根２８，２９は、駆動部材２５が軸２３ｂで回転すると、相反する方向へ回転するようになっている。
【００３３】
次に、本実施例の作動を説明する。図７は、カメラの電源はオンになっているが、コイル２４には通電されていない状態を示しており、このとき、駆動部材２５は、ばね２７の付勢力によって、ピン２５ｂを長孔２１ｂの右下端部に接触させている。そのため、シャッタ羽根２８，２９は、駆動部材２５によって開口部２１ａから退かされており、液晶表示装置によって被写体像を観察することが可能になっている。
【００３４】
撮影に際してレリーズボタンを押すと、制御回路からの電気信号によって、固体撮像素子に蓄積されていた電荷が放出されると、その時点から撮影のための露光（電荷の蓄積）が開始され、且つ露光時間制御回路によって適正露光時間に対応した所定時間のカウントが開始される。そして、そのカウントが終了すると、コイル２４に対して通電が行われるため、駆動部材２５は、鉄片部材２６がコイル２４に吸引されることによって、ばね２７の付勢力に抗して、反時計方向へ回転させられるが、このとき、シャッタ羽根２８は反時計方向へ回転させられ、シャッタ羽根２９は時計方向へ回転させられて、開口部２１ａに進入していく。
【００３５】
このようにして、シャッタ羽根２８，２９が開口部２１ａを閉鎖すると、その直後に、駆動部材２５のピン２５ｂが、長孔２１ｂの左上端部に当接して停止する。その状態が図８に示されている。そして、この状態において、固体撮像素子に蓄積された撮像情報が記憶装置に転送されると、コイル２４に対する通電が断たれる。そのため、駆動部材２５は、ばね２７の付勢力によって時計方向へ回転させられ、シャッタ羽根２８，２９が開口部２１ａから退いていく。その後、シャッタ羽根２８，２９が開口部２１ａを全開にすると、その直後に、駆動部材２５のピン２５ｂが、長孔２１ｂの右下端部に当接して停止する。その状態が図７に示されてた状態である。
【００３６】
このように、本実施例のシャッタ羽根駆動機構は、デジタルスチルカメラに採用される場合の構成となっているが、シャッタ羽根２８，２９の形状を変えて、駆動部材２５が図７の状態のときに開口部２１ａを閉鎖するようにし、且つシャッタ羽根２８の支点となるピン２８ａをシャッタ羽根２９のピン２９ａの位置とし、シャッタ羽根２９の支点となるピン２９ａをシャッタ羽根２８のピン２８ａの位置とすれば、銀塩カメラに採用される場合の構成となる。また、本実施例は、シャッタ羽根駆動機構であるが、駆動部材２５が図８の状態のときに、シャッタ羽根２８，２９が開口部２１ａを完全に閉鎖することなく、シャッタ羽根２８，２９の形状を変えて、小さい開口部を形成するようにすれば、絞り羽根駆動機構として採用することが可能になる。
【００３７】
尚、上記の各実施例においては、駆動部材５，１５，２５を反時計方向へ回転させたときのストッパを、長孔１ｂ，１１ｂ，２１ｂの長さ方向の一端部としている。しかしながら、電磁石の本体部３，１３，２３をストッパとしても差し支えない。また、上記の各実施例においては、駆動部材５，１５，２５を本体部３，１３，２３に対して回転可能に取り付けているが、地板１，１１，２１に対して回転可能に取り付けても差し支えない。そして、そのようにした場合には、電磁石の本体部３，１３，２３を、コイル４，１４，２４を巻回できればよいだけの長さにすることができる。更に、上記の各実施例においては、駆動部材５，１５，２５が合成樹脂製であるため、その一端に鉄片部材６，１６，２６を取り付けて鉄片部としているが、駆動部材５，１５，２５を金属製とした場合には、その一端部が鉄片部となる。
【００３８】
また、上記の各実施例における電磁石は、合成樹脂製の本体部３，１３，２３の一端に直接コイル４，１４，２４を巻回している。しかしながら、コイル４，１４，２４の巻回部を別部材（ボビン）として構成し、本体部３，１３，２３に対して着脱可能に取り付けるようにしても差し支えない。そして、そのようにする場合には、取り付け状態を調整できるようにしておくことが好ましい。更に、上記の各実施例においては、単に合成樹脂製の本体部３，１３，２３にコイル４，１４，２４を巻回しているだけであるが、その巻回部の中心に鉄芯を配置するようにしても差し支えない。
【００３９】
【発明の効果】
以上のように、本発明の羽根駆動機構は、アクチュエータに永久磁石を使用していないので、コストの点で極めて有利である。また、構成部材が少なく、且つ最小限にすることもできるため、小型化に極めて有利なものである。
【図面の簡単な説明】
【図１】シャッタ羽根の開放状態を示す第１実施例の平面図である。
【図２】シャッタ羽根の閉鎖状態を示す第１実施例の平面図である。
【図３】図２の底面図である。
【図４】大口径の絞り制御状態を示した第２実施例の平面図である。
【図５】小口径の絞り制御状態を示した第２実施例の平面図である。
【図６】図５の底面図である。
【図７】シャッタ羽根の開放状態を示す第３実施例の平面図である。
【図８】シャッタ羽根の閉鎖状態を示す第３実施例の平面図である。
【図９】図８の底面図である。
【符号の説明】
１，１１，２１                  地板
１ａ，１１ａ，１８ａ，２１ａ    開口部
１ｂ，５ｂ，１１ｂ，２１ｂ      長孔
２，１２，２２                  ビス
３，１３，２３                  本体部
３ａ，５ａ，１３ａ，１５ａ，２３ａ，２５ａ  ばね掛け
３ｂ，１３ｂ，２３ｂ            軸
４，１４，２４                  コイル
５，１５，２５                  駆動部材
５ｃ，８ａ，８ｂ，１５ｂ，１５ｃ，１８ｂ，２５ｂ，２５ｃ，
２８ａ，２９ａ                                  ピン
６，１６，２６                  鉄片部材
７，１７，２７                  ばね
８，２８，２９                  シャッタ羽根
１８                            絞り羽根
【図１】
2005024639.tif 000003
【図２】
2005024639.tif 000004
【図３】
2005024639.tif 000005
【図４】
2005024639.tif 000006
【図５】
2005024639.tif 000007
【図６】
2005024639.tif 000008
【図７】
2005024639.tif 000009
【図８】
2005024639.tif 000010
【図９】
2005024639.tif 000011